(57)【要約】      （修正有）【課題】機能ボタンがポケット内に配置される設定により、衣服の製造ステップが減り、製造コストを低減できる衣服本体と温度制御ユニットとを備える温度調節機能を持つ衣服を提供する。【解決手段】衣服本体の内側または外側に電源を配置するためのポケット４が設けられ、ポケットに充電コネクタ６が設けられ、充電コネクタは充電ケーブル５を介して温度制御ユニットに接続され、充電コネクタの一端付近の充電ケーブルには温度制御ユニットを制御するための機能ボタン８がさらに設けられる。機能ボタンは、衣服本体内の温度制御ユニットの温度の調整に用いられ、充電電源がポケットに配置されるとき、充電コネクタが電源に接続されて温度制御ユニットに給電する。【選択図】図２
0003222464.tif 000002
【実用新案登録請求の範囲】
【請求項１】
衣服本体（１）と温度制御ユニットとを備え、前記衣服本体（１）の内側または外側に電源を配置するための配置部が設けられ、前記配置部に充電コネクタ（６）が設けられ、前記充電コネクタ（６）は充電ケーブル（５）を介して温度制御ユニットに接続され、前記充電コネクタ（６）の一端付近の充電ケーブル（５）には温度制御ユニットを制御するための機能ボタン（８）がさらに設けられることを特徴とする温度調節機能を持つ衣服。
【請求項２】
前記温度制御ユニットは、衣服本体（１）の内部に配置された発熱シートであることを特徴とする請求項１に記載の温度調節機能を持つ衣服。
【請求項３】
前記温度制御ユニットは、衣服本体（１）の内側に配置された半導体冷却シートであることを特徴とする請求項１に記載の温度調節機能を持つ衣服。
【請求項４】
前記温度制御ユニットは、衣服本体（１）の側面に配置されたファン（１１）であり、前記ファン（１１）の排気口は衣服本体（１）の内側に向き、吸気口は衣服本体（１）の外側に接続されることを特徴とする請求項１に記載の温度調節機能を持つ衣服。
【請求項５】
前記充電コネクタ（６）の一端付近の充電ケーブル（５）には表示画面（７）がさらに設けられ、表示画面（７）は充電ケーブル（５）を介して温度制御ユニットに接続されることを特徴とする請求項２〜請求項４のうちのいずれか一項に記載の温度調節機能を持つ衣服。
【請求項６】
前記充電コネクタ（６）、前記表示画面（７）および前記機能ボタン（８）は一体的に設けられることを特徴とする請求項５に記載の温度調節機能を持つ衣服。
【請求項７】
前記充電コネクタ（６）、前記表示画面（７）および前記機能ボタン（８）は、前記充電ケーブル（５）の一端に間隔を置いて設けられることを特徴とする請求項５に記載の温度調節機能を持つ衣服。
【請求項８】
前記機能ボタン（８）としてダイヤルスイッチ、タッチスイッチ、多段式ロータリスイッチ、または多段式押しボタンスイッチのうちのいずれか１つが設けられることを特徴とする請求項１に記載の温度調節機能を持つ衣服。
【請求項９】
前記充電コネクタ（６）は、ＵＳＢコネクタであることを特徴とする請求項１に記載の温度調節機能を持つ衣服。
【請求項１０】
前記配置部は、ポケット（４）であることを特徴とする請求項１に記載の温度調節機能を持つ衣服。
【考案の詳細な説明】
【技術分野】
【０００１】
本考案は、衣装技術分野に関し、特に温度調節機能を持つ衣服に関する。
【背景技術】
【０００２】
発熱衣服とは、一般衣装の内層に発熱層が取り付けられ、発熱体を介して電池、温度制御機能ボタンに接続され、温度制御機能ボタンをオンにして電気エネルギーを熱エネルギーに変換すると、発熱層が発熱することができるものを指し、この衣装を着用すると人々は温暖効果を感じる。
【０００３】
検索結果、中国特許公開番号ＣＮ２０５２８５０３８Ｕに、本体、スイッチ、充電ケーブル、ジョイントキャップ、ポケットおよび折畳み式内側襟を備える発熱衣服が開示されており、折畳み式内側襟に発熱シートが内包され、本体の外側の上部にスイッチが位置し、本体の内側には電池を配置するためのポケットが設けられ、ポケットと充電ケーブルとが連結され、充電ケーブルには防水材料製のジョイントキャップが設けられている。
【０００４】
上記した既存の技術的解決手段の欠点は、スイッチは本体の外側の上部に位置し、かつ充電ケーブルとポケットとが連結されているため、発熱衣服を製造する際に、スイッチを本体の外側に固定する必要があるだけでなく、ポケット側に充電ケーブルを連結する必要もあり、発熱衣服の製造ステップが増え、さらに発熱衣服の製造コストが増加することである。
【考案の概要】
【考案が解決しようとする課題】
【０００５】
本考案は、製造コストを低減した衣服を提供することを目的とする。
【課題を解決するための手段】
【０００６】
上記の本考案の目的は、以下の技術的解決手段によって達成される。すなわち、温度調節機能を持つ衣服であって、衣服本体と温度制御ユニットとを備え、前記衣服本体の内側または外側に電源を配置するための配置部が設けられ、前記配置部に充電コネクタが設けられ、前記充電コネクタは充電ケーブルを介して温度制御ユニットに接続され、前記充電コネクタの一端付近の充電ケーブルには温度制御ユニットを制御するための機能ボタンがさらに設けられる。
【０００７】
上記の技術的解決手段を採用すれば、機能ボタンは、衣服本体内の温度制御ユニットの温度の調整に用いられ、充電電源が配置部に配置されるとき、充電コネクタが電源に接続されて温度制御ユニットに給電し、従来技術に比べ、機能ボタンがポケット内に配置される設定により、衣服の製造ステップが減り、したがって衣服の製造コストを低減し、本考案の製造コスト低減という目的を達成する。
【０００８】
本考案は、さらに、前記温度制御ユニットが衣服本体の内部に配置された発熱シートである構成である。
【０００９】
上記の技術的解決手段を採用すれば、発熱シートが充電コネクタおよび充電ケーブルを介して電源に接続されると、放熱が開始し、衣服を発熱衣服として使用することができる。
【００１０】
本考案は、さらに、前記温度制御ユニットが衣服本体の内側に配置された半導体冷却シートである構成である。
【００１１】
上記の技術的解決手段を採用すれば、半導体冷却シートが充電コネクタおよび充電ケーブルを介して電源に接続され、熱伝達によって、ユーザ自身の表面温度を下げることに役立ち、涼しくて快適な経験が得られる。
【００１２】
本考案は、さらに、前記温度制御ユニットが衣服本体の側面に配置されたファンであり、前記ファンの排気口が衣服本体の内側に向き、吸気口が衣服本体の外側に接続される構成である。
【００１３】
上記の技術的解決手段を採用すれば、ファンが充電コネクタおよび充電ケーブルを介して電源に接続されると、衣服本体の外側からその内側への送風が開始し、衣服をファン服として使用することができる。
【００１４】
本考案は、さらに、前記充電コネクタの一端付近の充電ケーブルにはさらに表示画面が設けられ、表示画面は充電ケーブルを介して温度制御ユニットに接続される構成である。
【００１５】
上記の技術的解決手段を採用すれば、衣服を着用するときの温度が表示画面に表示されることにより、使用者が実際に制御することが便利になり、使用の柔軟性を改善するのに役立つ。
【００１６】
本考案は、さらに、前記充電コネクタ、前記表示画面および前記機能ボタンが一体的に設けられる構成である。
【００１７】
上記の技術的解決手段を採用すれば、充電コネクタ、表示画面および機能ボタンの一体的な設定は、一方では、機能ボタンを使用して温度制御ユニットの温度を調整するとき、表示画面を介してデータの変化を適時にチェックすることができ、他方では、大量生産に有利である。従来技術において、スイッチは本体の外側の上部に位置し、ユーザが該衣服を着て人混みの中を歩くとき、衣服本体の外側の上部が衝突にあたる可能性がより高く、さらに誤りで機能ボタンをタッチしやすいが、機能ボタンをポケット内に配置する設定により、誤りでスイッチをタッチすることをある程度防止し、充電電源とセットにして使用されるとき、充電電源によりポケット内で機能ボタンおよび表示画面を配置するための一定の空間が作られ、それによって誤りで機能ボタンをタッチする可能性をさらに下げる。
【００１８】
本考案は、さらに、前記充電コネクタ、前記表示画面、および前記機能ボタンが、前記ポケットに配置された前記充電ケーブルの一端に間隔を置いて設けられる構成である。
【００１９】
上記の技術的解決手段を採用すれば、一方では、機能ボタンを使用して温度制御ユニットの温度を調整するとき、表示画面で対応するデータの変化を適時にチェックすることができ、他方では、大量生産が便利になる。
【００２０】
本考案は、さらに、前記機能ボタンとしてダイヤルスイッチ、タッチスイッチ、多段式ロータリスイッチ、または多段式押しボタンスイッチが設けられる構成である。
【００２１】
上記の技術的解決手段を採用すれば、異なる要件に応じて異なる機能ボタンが選択できるため、機能ボタン選択の多様性を保証する。
【００２２】
本考案は、さらに、前記充電コネクタがＵＳＢコネクタである構成である。
【００２３】
上記の技術的解決手段を採用すれば、ＵＳＢコネクタの長所は「小型、軽量、薄型」であるため、充電コネクタが軽量で使いやすくなり、衣服の重量がある程度減少する。
【００２４】
本考案は、さらに、前記配置部がポケットであるように設けられる構成である。
【００２５】
上記の技術的解決手段を採用すれば、ポケットの構造は比較的シンプルで、製造しやすく、衣服のコストを低減するのに役立つ。
【考案の効果】
【００２６】
要約すると、本発明の有益な技術的効果は、
充電コネクタ、表示画面および機能ボタンが一体的に設けられ、又は充電コネクタ、表示画面および機能ボタンがポケットに配置された充電ケーブルの一端に間隔を置いて設けられる設定によって、衣服の製造コストをある程度低減することができる。
【図面の簡単な説明】
【００２７】
【図１】本考案の実施例１の構造を示す模式図である。
【図２】図１のＡ部分の局所拡大を示す模式図である。
【図３】実施例１における衣服本体の内層を広げたものを示す模式図である。
【図４】実施例２の局所を示す模式図であり、主にファン構造を具現化するためのものである。
【考案を実施するための形態】
【００２８】
以下、図面を参照して本考案についてさらに詳細に説明する。
【００２９】
実施例１：
図１および図２に示すように、本考案に開示された温度調節機能を持つ衣服は、衣服本体１、内層２、外層３、ポケット４、充電ケーブル５、充電コネクタ６、表示画面７、および機能ボタン８を備え、さらに衣服本体１内に温度制御ユニットが配置される。温度制御ユニットは、具体的には発熱シートであり、衣服本体１は襟なしのベストの形であり、本実施例では、２つのポケット４をウェスト付近の衣服本体１の外側に縫い付けるが、他の実施例では、ポケット４をウェスト付近の衣服本体１の内側に縫い付けることもでき、衣服本体１は内層２と外層３の縫い合わせで作られ、発熱シートは内層２に取り付けられ、且つ発熱シートは内層２と外層３で形成された密閉空間内に位置し、充電ケーブル５の一端は発熱シートに電気的に接続され、充電ケーブル５の他端は衣服本体１の外層３を貫通してポケット４内まで伸ばされ、ポケット４内まで伸ばされた充電ケーブル５の一端は充電コネクタ６、表示画面７および機能ボタン８に接続されており、表示画面７は番号の表示またはインジケータライトの直接表示の方法で状態の表示に用いられることができ、表示画面７は充電コネクタ６に嵌設され、機能ボタン８は充電コネクタ６上で充電ケーブル５と表示画面７の両方に隣接する一側に取り付けられ、発熱シートには温度センサが取り付けられ、温度センサとして接触式の温度センサが設けられ、温度センサが電線を介して表示画面７に電気的に接続されることにより、表示画面７に発熱シートの温度をリアルタイムで表示させることができ、表示画面７の表示内容は、さらに、設定の目標温度、設定の自動電源オフ時間、電流、電圧、およびリアルタイムの動作電力であってもよく、表示画面７としてＬＥＤ表示画面７が設けられる。
【００３０】
発熱衣服として使用する場合、充電コネクタ６はモバイルバッテリに電気的に接続され、充電コネクタ６として大多数のモバイルバッテリの出力ポートに適合するＵＳＢコネクタが設けられることにより、発熱衣服の充電コネクタ６の適用範囲を拡大できる。
【００３１】
充電コネクタ６、表示画面７、および機能ボタン８が一体的に設けられることにより、機能ボタン８で発熱シートの温度を調整するとき、発熱シートの温度変化をリアルタイムにチェックすることが便利になる。
【００３２】
本実施例では、機能ボタン８としてＤＩＰフラットダイヤルスイッチが設けられたが、その他の実施例では、機能ボタン８としてタッチスイッチ、多段式ロータリスイッチまたは多段式押し型機能ボタンが設けられてもよく、本実施例では、発熱シートの６つの異なる温度に対応して、ＤＩＰフラットダイヤルスイッチに異なる６つのビットが設けられたが、その他の実施例では、ダイヤルスイッチ８に異なる５つ、７つ、８つ、または９つのビットが設けられてもよい。
【００３３】
図３に示すように、内層２の両側には２組の締付けロープ９が対向して設けられ、締付けロープ９は内層２に縫い付けられ、且つ締付けロープ９は内層２の発熱シートに背向く側に位置し、それにより内層２の発熱シートとユーザの身体との密着度を調整することができる。
【００３４】
本実施例の実施原理は以下のとおりである。充電コネクタ６、表示画面７および機能ボタン８が一体的に設けられ且つポケット４内に配置されるという設定により、誤りで機能ボタン８がタッチされることを防止する目的を達成するとともに、機能ボタン８を使用して発熱シートの温度を調整するとき、表示画面７で発熱シートの温度変化を適時にチェックすることができる。
【００３５】
実施例２：実施例１と異なる点は、温度制御ユニットであり、温度制御ユニットはファン１１であり、衣服本体には開口部１２が設けられ、上記ファン１１が開口部を介して衣服本体１を貫通して左右両側に接続されており、なお、ファン１１の数や具体的な設ける位置については特に限定せず、ファン１１の排気口は衣服本体１の内側に向き、吸気口は衣服本体１の外側に接続されており、ファン１１が充電コネクタ６および充電ケーブル５を介して電源に接続されると、ファン１１によって衣服本体１の外側からその内側への送風が開始し、衣服をファン服として使用することができる。
【００３６】
さらに、本実施例において、表示画面７は風力レベルの表示に使用できる。
【００３７】
実施例３：実施例１と異なる点は、温度制御ユニットであり、温度制御ユニットは半導体冷却シートであり、半導体冷却シートは衣服本体１の内部に配置され、半導体冷却シートが充電コネクタ６および充電ケーブルを介して電源に接続され、熱伝達によって、ユーザ自身の表面温度を下げることに役立ち、涼しくて快適な経験が得られる。
【００３８】
本具体的な実施形態の実施例は、いずれも本考案の好適な実施例に過ぎず、本発明の保護範囲を限定するものではなく、本考案の構造、形状、原理を踏まえてなされた等価変更であれば、いずれも本考案の保護範囲に含まれるべきである。
【符号の説明】
【００３９】
１...衣服本体、２...内層、３...外層、４...ポケット、５...充電ケーブル、６...充電コネクタ、７...表示画面、８...機能ボタン、９...締付けロープ、１１...ファン、１２...開口部。
【図１】
0003222464.tif 000003
【図２】
0003222464.tif 000004
【図３】
0003222464.tif 000005
【図４】
0003222464.tif 000006